(57)【要約】【課題】音声出力中に音声の出力状態を変更できるリモコン装置を提供すること。【解決手段】本発明のリモコン装置は、給湯機を操作するリモコン装置であって、給湯機の操作を行う操作部１と、操作部１が操作されたときに実行される機能に対応する音声データを管理する音声制御部６と、音声データを出力する音声出力部１０とを備え、音声出力部１０から音声データが出力されている時に、音声データの出力状態を変更可能に構成する。【選択図】図１
2010276228.tif 000002
【特許請求の範囲】
【請求項１】
給湯機を操作するリモコン装置であって、前記給湯機の操作を行う操作部と、前記操作部が操作されたときに実行される機能に対応する音声データを管理する音声制御部と、前記音声データを出力する音声出力部とを備え、前記音声出力部から音声データが出力されている時に、前記音声データの出力状態を変更可能に構成したことを特徴とするリモコン装置。
【請求項２】
前記音声データの音声速度を変更することができることを特徴とする請求項１に記載のリモコン装置。
【請求項３】
前記音声データの出力を一時停止することができることを特徴とする請求項１または２に記載のリモコン装置。
【請求項４】
前記音声データの出力を録音することができることを特徴とする請求項１から３のいずれか１項に記載のリモコン装置。
【発明の詳細な説明】
【技術分野】
【０００１】
本発明は、給湯機の操作を行うリモコン装置に関する。
【背景技術】
【０００２】
従来、この種の給湯機の操作を行うリモコン装置は音声を出力して、使用者に分かりやすくし、理解を助けるようにしているものがある（例えば、特許文献１参照）。
【先行技術文献】
【特許文献】
【０００３】
【特許文献１】特開２００１−２７２０９６号公報
【発明の概要】
【発明が解決しようとする課題】
【０００４】
しかしながら、上記従来のリモコン装置では、音声の出力はその場限りのものであるため、例えば、シャワーを使用中に音声が出力された時や、周囲がうるさくい状況で音声が出力された時は、出力された音声を聞き取ることができずに、どのような音声が出力されたのか使用者が理解できないという課題を有していた。
【０００５】
本発明は、前記従来の課題を解決するもので、音声出力中に音声の出力状態を変更できるリモコン装置を提供することを目的とする。
【課題を解決するための手段】
【０００６】
前記従来の課題を解決するために、本発明のリモコン装置は、給湯機を操作するリモコン装置であって、給湯機の操作を行う操作部と、操作部が操作されたときに実行される機能に対応する音声データを管理する音声制御部と、音声データを出力する音声出力部とを備え、音声出力部から音声データが出力されている時に、音声データの出力状態を変更可能に構成したことにより、音声が出力されている最中に音声データの出力状態を変更することができるので、様々な状況に応じて、使用者の音声データの認識性を向上させることができる。
【発明の効果】
【０００７】
本発明は、音声出力中に音声の出力状態を変更でき、使用者の認識性を向上させたリモコン装置を提供することができる。
【図面の簡単な説明】
【０００８】
【図１】本発明の実施の形態１にリモコン装置のブロック図
【図２】同実施の形態１における音声制御のブロック図
【発明を実施するための形態】
【０００９】
第１の発明のリモコン装置は、給湯機を操作するリモコン装置であって、給湯機の操作を行う操作部と、操作部が操作されたときに実行される機能に対応する音声データを管理する音声制御部と、音声データを出力する音声出力部とを備え、音声出力部から音声データが出力されている時に、音声データの出力状態を変更可能に構成したことにより、音声が出力されている最中に音声データの出力状態を変更することができるので、様々な状況に応じて、使用者の音声データの認識性を向上させることができる。
【００１０】
第２の発明のリモコン装置は、特に第１の発明において、音声データの音声速度を変更
することができることにより、使用者が音声速度を速めたり、遅くしたりする時に、音声データを聞き取りながら変更することができるので、使用者は音声の現状を認識しながら変更することができる。
【００１１】
第３の発明のリモコン装置は、特に第１または第２の発明において、音声データの出力を一時停止することができることにより、使用者が聞き取りにくい状況下で音声データが出力された時には、周囲が聞き取りにくい状況の時には音声データの出力を一時停止し、周囲の状況が収まった時に再度音声データの出力を再開させるので、確実に使用者が聞き取ることができる。
【００１２】
第４の発明のリモコン装置は、特に第１〜第３のいずれか１つの発明において、音声データの出力を録音することができることにより、使用者は音声データを録音して、時間が経ってから再度聞き直すことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるリモコン装置のブロック図を示すものである。図１において、本実施の形態のリモコン装置は、給湯機の操作を行い複数のスイッチで構成される操作部１と、操作部１のスイッチが操作されたことによってスイッチに該当する個別の機能を割り当てるスイッチ機能部２と、それぞれのスイッチに該当する内部データを管理する内部データ管理部３と、スイッチ機能部２からどのスイッチが押下されたかの信号を受け取りその機能に該当するデータの表示を管理する表示制御部４と、接続された給湯機本体と通信を行う通信部５と、スイッチ機能部２からどのスイッチが押下されたかの信号を受け取りその機能に該当する音声データの出力を管理する音声制御部６と、表示データを作成する表示機能部７と、音声データを作成する音声機能部８と、表示機能部からの表示データを表示する表示部９と、音声機能部８からの音声データを出力する音声出力部１０を有している。
【００１５】
以上のように構成されたリモコン装置について、以下、その動作・作用を説明する。
【００１６】
まず、使用者は操作部１からスイッチ操作を行い所望の動作を入力する。スイッチ機能部２は、割り当てられている各スイッチ個別の機能を検出し、割り当てられた機能信号を表示制御部４へ出力する。それと同時に、スイッチ機能部２は、割り当てられている各スイッチ個別の機能を検出し、割り当てられた機能信号を音声制御部６へ出力する。
【００１７】
また、内部データ管理部３は、スイッチに該当する内部データを管理し、必要に応じて内部データ（例えば給湯温度）の更新を行い、内部データを表示機能部７に出力する。
【００１８】
また、通信部５は給湯器本体、あるいは接続されている他制御装置からの通信データを受け取り、内部データ管理部３に出力する。内部データ管理部３は、操作情報と同様に必要に応じて通信情報から内部データを更新し、表示機能部７へ出力する。
【００１９】
更に表示機能部７は、内部データ管理部３からの信号により表示させるデータの作成を行い、表示部９へ出力する。その際、表示制御部４からの信号により、実際に点灯させる場合は本来のデータの出力を行い、表示させない場合はブランクデータを出力する。表示部９は表示機能部７からのデータを表示する。
【００２０】
また、内部データ管理部３は、スイッチに該当する内部データを管理し、必要に応じて
内部データ（例えば給湯温度）の更新を行い、内部データを音声機能部８に出力する。また、通信部５は給湯器本体、あるいは接続されている他制御装置からの通信データを受け取り、内部データ管理部３に出力する。内部データ管理部３は、操作情報と同様に必要に応じて通信情報から内部データを更新し、音声機能部８へ出力する。
【００２１】
更に音声機能部８は、内部データ管理部３からの信号により出力させる音声データの作成を行い、音声出力表示部１０へ出力する。その際、音声制御部６からの信号により、実際に出力させる場合は本来のデータの出力を行い、出力させない場合は無音データを出力する。音声出力部１０は音声機能部８からの音声データを出力する。
【００２２】
以上のように、本実施の形態においては操作者のスイッチ操作を適当な音声データに割り当てて音声データを出力することにより、スイッチ操作に応じた音声を出力することができる。
【００２３】
図２は、本実施の形態のリモコン装置の音声制御のブロック図である。
【００２４】
図２において、リモコン装置には操作部１のスイッチの一部として、音声速度を加速させる加速スイッチ２１、音声速度を減速させる減速スイッチ２２、音声出力を一時停止する一時停止スイッチ３１、音声出力を停止する停止スイッチ４１、出力音声の録音を開始する録音スイッチ５１、録音した出力音声の再生を開始する再生スイッチ５２とを有し、さらにリモコン装置内部には、音声データを記録する音声記録部５３とを有している。
【００２５】
そして使用者は音声出力部２６から音声が出力されているとき、その速度を早めようと思い、加速スイッチ２１を操作する。もしくは音声出力部２６から音声が出力されているとき、その速度を遅めようと思い、還俗スイッチ２２を操作する。
【００２６】
その結果、加速スイッチ２１、または減速スイッチ２２の操作は、スイッチ機能部２によってそのスイッチを同定する信号に変換され音声制御部６に出力される。音声制御部６は、入力された信号から、音声データの加速、減速を制御する信号を音声機能部８へ出力する。音声機能部８は、現在出力している音声データに加速、減速を制御する信号を加味して音声出力部１０へ音声データを出力する。
【００２７】
以上のように、本実施の形態においては操作者のスイッチ操作により、スイッチ操作に応じた速度で音声を出力することができる。
【００２８】
また、使用者は、音声出力部１０から音声が出力されているとき、その出力を一時停止しよう思い、一時停止スイッチ３１を操作する。一時停止スイッチ３１の操作は、スイッチ機能部２によってそのスイッチを同定する信号に変換され音声制御部６に出力される。音声制御部６は、入力された信号から、音声データの一時停止を制御する信号を音声機能部８へ出力する。音声機能部８は、一時停止を制御する信号により、音声出力部１０へ出力している音声データを一時停止する。
【００２９】
以上のように、使用者のスイッチ操作により、音声の出力を一時停止することができる。
【００３０】
また、使用者は、音声出力部１０から音声が出力されているとき、その出力を停止しよう思い、停止スイッチ４１を操作する。停止スイッチ４１の操作は、スイッチ機能部２によってそのスイッチを同定する信号に変換され音声制御部６に出力される。音声制御部６は、入力された信号から、音声データの停止を制御する信号を音声機能部８へ出力する。音声機能部８は、停止を制御する信号により、音声出力部１０へ出力している音声データ
を停止する。
【００３１】
以上のように、使用者のスイッチ操作により、音声の出力を停止することができる。
【００３２】
また、使用者は、音声出力部１０から音声が出力されているとき、その出力を録音しよう思い、録音スイッチ５１を操作する。録音スイッチ５１の操作は、スイッチ機能部２によってそのスイッチを同定する信号に変換され音声制御部６に出力される。
【００３３】
音声制御部６は、入力された信号から、音声データの録音を制御する信号を音声機能部８へ出力する。音声機能部８は、録音を制御する信号により、音声出力部１０へ出力している音声データを音声記録部５３にも出力する。そして音声記録部５３では、この音声データを記録する。
【００３４】
また、使用者は、記録されている音声データを再生しようと思い、再生スイッチ５２を操作する。再生スイッチ５２の操作は、スイッチ機能部２によってそのスイッチを同定する信号に変換され音声制御部６に出力される。音声制御部６は、入力された信号から、音声データの再生を制御する信号を音声機能部８へ出力する。音声機能部８は、再生を制御する信号により、再生信号を音声記録部５３へ出力する。音声記録部５３は、再生信号により記録されている音声データを音声出力部１０へ出力する。音声出力部１０は、この音声データを出力する。
【００３５】
以上のように、使用者のスイッチ操作により、音声の出力を録音、再生することができる。
【００３６】
このように、本発明では、使用者が置かれている状況によっては聴認性が低下してしまう場合であっても、出力される音声の速度を変更したり、録音したりして音声の出力状態を変更することができるので、確実に使用者は出力された音声を聞くことができる。
【産業上の利用可能性】
【００３７】
以上のように、本発明にかかるリモコン装置は、使用者の操作によって音声が出力中であっても、出力状態を変更することが可能となる。
【符号の説明】
【００３８】
１  操作部
２  スイッチ機能部
３  内部データ管理部
４  表示制御部
５  通信部
６  音声制御部
７  表示機能部
８  音声機能部
９  表示部
１０  音声出力部
２１  加速スイッチ
２２  減速スイッチ
３１  一時停止スイッチ
４１  停止スイッチ
５１  録音スイッチ
５２  再生スイッチ
５３  音声記録部
【図１】
2010276228.tif 000003
【図２】
2010276228.tif 000004